【手続補正書】
【提出日】平成18年9月29日(2006.9.29)
【手続補正１】
【補正対象書類名】特許請求の範囲
【補正対象項目名】全文
【補正方法】変更
【補正の内容】
【特許請求の範囲】
【請求項１】
レンズ装置と、該レンズ装置を着脱自在に装着した撮像装置とを含む光学装置であって、
前記撮像装置は、フォーカスコントロール信号を出力するカメラ制御部を有し、
前記レンズ装置は、フォーカスレンズを含む撮像光学系と、該フォーカスレンズを駆動するフォーカスレンズ駆動手段と、該フォーカスレンズ駆動手段の駆動の制御を司るレンズ制御部とを有し、
前記レンズ制御部は、前記カメラ制御部から出力されるフォーカスコントロール信号を用い、フォーカス方式の種類およびフォーカス制御方式の種類の少なくとも一方の種類に応じて前記フォーカスレンズ駆動手段に出力する駆動信号を生成することを特徴とする光学装置。
【請求項２】
前記フォーカス方式の種類は、フォーカスレンズがズームレンズ群より被写体側にある前玉フォーカス方式か、フォーカスレンズがズームレンズ群より撮像素子側にあるリアフォーカス方式かであることを特徴とする請求項１に記載の光学装置。
【請求項３】
前記フォーカス制御方式の種類は、操作部材を手動操作により制御するマニュアルフォーカス制御方式か、自動でフォーカス調整を行うオートフォーカス制御方式かであることを特徴とする請求項１に記載の光学装置。
【請求項４】
前記レンズ制御部で生成される駆動信号は、前記撮像装置のズーム位置情報とフォーカス指令情報とから算出されるフォーカスレンズ移動量としての駆動信号であることを特徴とする請求項１乃至３のいずれか１項に記載の光学装置。
【請求項５】
前記フォーカスレンズ駆動手段は、
前記レンズ制御部から出力される駆動信号に応じてフォーカスモータドライバ部によって駆動され、前記フォーカスレンズを移動するフォーカスモータと、
前記フォーカスレンズの位置を検出し、該検出した情報を前記レンズ制御部に伝達するフォーカス位置検出手段と、
を有することを特徴とする請求項１乃至４のいずれか１項に記載の光学装置。
【請求項６】
前記フォーカスモータが、ステップモータであることを特徴とする請求項５に記載の光学装置。
【請求項７】
前記フォーカス位置検出手段は、前記フォーカスレンズの位置の検出を、前記ステップモータの基準点からのステップ数から算出することを特徴とする請求項６に記載の光学装置。
【手続補正２】
【補正対象書類名】明細書
【補正対象項目名】発明の名称
【補正方法】変更
【補正の内容】
【発明の名称】光学装置
【手続補正３】
【補正対象書類名】明細書
【補正対象項目名】０００１
【補正方法】変更
【補正の内容】
【０００１】
本発明は、テレビカメラ、ビデオカメラ等の撮像装置と、テレビレンズまたはビデオレンズ等のレンズ装置を備えた光学装置に関するものである。
【手続補正４】
【補正対象書類名】明細書
【補正対象項目名】０００２
【補正方法】変更
【補正の内容】
【０００２】
従来におけるテレビ放送や、ビデオ撮影に用いられるカメラシステムでは、カメラレンズ一体型の自動でフォーカス調整を行うオートフォーカス（以降ＡＦと記す）方式のビデオカメラと、交換レンズ方式の操作部材を手動操作により制御するマニュアルフォーカス方式のカメラシステムが主流であった。
なお、これらのカメラシステムは、テレビカメラ、ビデオカメラ等の撮像装置と、テレビレンズまたはビデオレンズ等のレンズ装置を備えたものを意味しているが、このカメラシステムは、以下で説明する本発明の光学装置と同義のものである。
一方、交換レンズ方式のカメラシステムにも、近年、ＡＦ方式のレンズが使用されるようになってきており、今までは、専用のレンズとカメラによるシステムとなっていたが、昨今、マニュアルフォーカス方式のレンズとＡＦ方式のレンズを共用する要望が高まってきている。
【手続補正５】
【補正対象書類名】明細書
【補正対象項目名】００２４
【補正方法】変更
【補正の内容】
【００２４】
そこで、本発明は、上記課題を解決し、テレビカメラ、ビデオカメラ等の撮像装置と、テレビレンズまたはビデオレンズ等のレンズ装置とが着脱交換可能な光学装置において、
フォーカス方式の違いやフォーカス制御方式の違いによって、撮像装置側から出力されるフォーカス制御信号を変更する必要がなく、これら方式の異なるレンズ装置を共通の撮像装置と組合せて使用することが可能となる光学装置を提供することを目的とするものである。
【手続補正６】
【補正対象書類名】明細書
【補正対象項目名】００２５
【補正方法】変更
【補正の内容】
【００２５】
本発明は、以下のように構成した光学装置を提供するものである。
すなわち、本発明の光学装置は、レンズ装置と、該レンズ装置を着脱自在に装着した撮像装置とを含む光学装置であって、
前記撮像装置は、フォーカスコントロール信号を出力するカメラ制御部を有し、
前記レンズ装置は、フォーカスレンズを含む撮像光学系と、該フォーカスレンズを駆動するフォーカスレンズ駆動手段と、該フォーカスレンズ駆動手段の駆動の制御を司るレンズ制御部とを有し、
前記レンズ制御部は、前記カメラ制御部から出力されるフォーカスコントロール信号を用い、フォーカス方式の種類およびフォーカス制御方式の種類の少なくとも一方の種類に応じて前記フォーカスレンズ駆動手段に出力する駆動信号を生成することを特徴としている。
また、本発明の光学装置は、前記フォーカス方式の種類は、フォーカスレンズがズームレンズ群より被写体側にある前玉フォーカス方式か、フォーカスレンズがズームレンズ群より撮像素子側にあるリアフォーカス方式かであることを特徴としている。
また、本発明の光学装置は、前記フォーカス制御方式の種類は、操作部材を手動操作により制御するマニュアルフォーカス制御方式か、自動でフォーカス調整を行うオートフォーカス制御方式かであることを特徴としている。
また、本発明の光学装置は、前記レンズ制御部で生成される駆動信号は、前記撮像装置のズーム位置情報とフォーカス指令情報とから算出されるフォーカスレンズ移動量としての駆動信号であることを特徴としている。
また、本発明の光学装置は、前記フォーカスレンズ駆動手段は、
前記レンズ制御部から出力される駆動信号に応じてフォーカスモータドライバ部によって駆動され、前記フォーカスレンズを移動するフォーカスモータと、
前記フォーカスレンズの位置を検出し、該検出した情報を前記レンズ制御部に伝達するフォーカス位置検出手段と、
を有することを特徴としている。
また、本発明の光学装置は、前記フォーカスモータが、ステップモータであることを特徴としている。
また、本発明の光学装置は、前記フォーカス位置検出手段が、前記フォーカスレンズの位置の検出を、前記ステップモータの基準点からのステップ数から算出することを特徴としている。
【手続補正７】
【補正対象書類名】明細書
【補正対象項目名】００２６
【補正方法】変更
【補正の内容】
【００２６】
本発明によれば、テレビカメラ、ビデオカメラ等の撮像装置と、テレビレンズまたはビデオレンズ等のレンズ装置とが着脱交換可能な光学装置において、
フォーカス方式の違いやフォーカス制御方式の違いによって、撮像装置側から出力されるフォーカス制御信号を変更する必要がなく、これら方式の異なるレンズ装置を共通の撮像装置と組合せて使用することが可能となる光学装置を実現することができる。
【手続補正８】
【補正対象書類名】明細書
【補正対象項目名】００２８
【補正方法】変更
【補正の内容】
【００２８】
本発明の実施例は、テレビカメラ、ビデオカメラ等の動画撮像装置と、テレビレンズまたはビデオレンズを始めとするレンズ装置で構成された光学装置において、リアフォーカス方式や前玉フォーカス方式のいずれの方式のもの、あるいはマニュアルフォーカス方式やオートフォーカス方式のいずれの方式のものが接続されても、フォーカス制御信号をレンズのフォーカス方式ごとに変更することなく、１台のカメラで共通に使用可能な光学装置を構成したものである。以下に、その具体的構成について、図に基づいて説明する。